(57)【要約】【課題】わずかな印刷機の状態変化、一時的又は周期的な印刷現象を的確に検出する。【解決手段】本発明の一態様に係る印刷診断方法では、それぞれが単色ベタパッチと、網点面積率３０〜９０％の単色平網パッチとを備える複数の印刷物について、単色ベタパッチの色管理データと単色平網パッチの色管理データとを経時的に測定し、複数の印刷物についての単色ベタパッチの色管理データの経時的変化と単色平網パッチの色管理データの経時的変化とを表示する。【選択図】      図１
2006068965.tif 000002
【特許請求の範囲】
【請求項１】
それぞれが単色ベタパッチと、網点面積率３０〜９０％の単色平網パッチとを備える複数の印刷物について、前記単色ベタパッチの色管理データと前記単色平網パッチの色管理データとを経時的に測定し、
前記複数の印刷物についての前記単色ベタパッチの色管理データの経時的変化と前記単色平網パッチの色管理データの経時的変化とを表示する
ことを特徴とする印刷診断方法。
【請求項２】
それぞれが単色ベタパッチと、網点面積率３０〜９０％の単色平網パッチとを備える複数の印刷物について、前記単色ベタパッチの色管理データと前記単色平網パッチの色管理データとを経時的に測定し、
前記単色ベタパッチ及び前記単色平網パッチの経時的変化の内容と印刷状態とを関係付けた診断規則にしたがって、前記複数の印刷物から測定された前記単色ベタパッチの色管理データの経時的変化と前記単色平網パッチの色管理データの経時的変化とを診断し、
前記複数の印刷物についての印刷状態を表示する
ことを特徴とする印刷診断方法。
【請求項３】
請求項２記載の印刷診断方法において、
前記診断規則は、
前記単色ベタパッチの濃度の経時的変化と前記単色平網パッチの濃度の経時的変化とが安定状態の場合を定常状態とする
と定義されていることを特徴とする印刷診断方法。
【請求項４】
請求項２記載の印刷診断方法において、
前記診断規則は、
前記単色ベタパッチの濃度の経時的変化が安定状態であって、前記単色平網パッチの濃度の経時的変化において変動幅が所定の許容レベルより大きい場合をダブリとスラーの少なくとも一方の発生状態とする
と定義されていることを特徴とする印刷診断方法。
【請求項５】
請求項２記載の印刷診断方法において、
前記診断規則は、
前記単色ベタパッチの濃度の経時的変化において変動幅が所定の第１許容レベルより大きく前記単色平網パッチの濃度の経時的変化において変動幅が所定の第２許容レベルより大きい場合をインキ／水バランスの不安定状態とする
と定義されていることを特徴とする印刷診断方法。
【請求項６】
請求項２記載の印刷診断方法において、
前記診断規則は、
前記単色ベタパッチの濃度の経時的変化と前記単色平網パッチの濃度の経時的変化とが周期的に変動している場合をインキ／水バランスの不安定状態とする
と定義されていることを特徴とする印刷診断方法。
【請求項７】
請求項１乃至請求項６のいずれか１項に記載の印刷診断方法において、
前記単色ベタパッチの色管理データと前記単色平網パッチの色管理データとの経時的測定は、少なくとも印刷機による連続的な印刷物の印刷１００回に対して１回行われることを特徴とする印刷診断方法。
【請求項８】
それぞれが単色ベタパッチと、網点面積率３０〜９０％の単色平網パッチとを備える複数の印刷物について、前記単色ベタパッチの色管理データと前記単色平網パッチの色管理データとを経時的に測定する手段と、
前記複数の印刷物についての前記単色ベタパッチの色管理データの経時的変化と前記単色平網パッチの色管理データの経時的変化とを表示する手段と
を具備する印刷診断装置。
【請求項９】
それぞれが単色ベタパッチと、網点面積率３０〜９０％の単色平網パッチとを備える複数の印刷物について、前記単色ベタパッチの色管理データと前記単色平網パッチの色管理データとを経時的に測定する手段と、
前記単色ベタパッチ及び前記単色平網パッチの経時的変化の内容と印刷状態とを関係付けた診断規則にしたがって、前記複数の印刷物から測定された前記単色ベタパッチの色管理データの経時的変化と前記単色平網パッチの色管理データの経時的変化とを診断する手段と、
前記複数の印刷物についての印刷状態を表示する手段と
を具備する印刷診断装置。
【請求項１０】
それぞれが単色ベタパッチと、網点面積率３０〜９０％の単色平網パッチとを備える複数の印刷物について、前記単色ベタパッチの色管理データと前記単色平網パッチの色管理データとを経時的に測定した結果に基づいて、前記単色ベタパッチの色管理データの経時的変化と前記単色平網パッチの色管理データの経時的変化とを対比可能な状態で表示する印刷データ表示装置。
【請求項１１】
それぞれが単色ベタパッチと、網点面積率３０〜９０％の単色平網パッチとを備える複数の印刷物について、前記単色ベタパッチの色管理データと前記単色平網パッチの色管理データとを経時的に測定した結果と、前記単色ベタパッチ及び前記単色平網パッチの経時的変化の内容と印刷状態とを関係付けた診断規則にしたがって、前記単色ベタパッチの色管理データの経時的変化と前記単色平網パッチの色管理データの経時的変化とを診断した結果とに基づいて、前記複数の印刷物についての印刷状態を表示する印刷データ表示装置。
【発明の詳細な説明】
【技術分野】
【０００１】
本発明は、印刷機による印刷状態（印刷機による印刷において発生した印刷現象を含む）の把握に用いられるデータを表示する印刷診断方法及び装置並びに印刷データ表示装置に関する。
【背景技術】
【０００２】
通常、オフセット印刷では、高品質の印刷物を得るために、インキ量を適切に調整する必要がある。
【０００３】
インキ量が不足すると、印刷濃度が低くなり、ボリューム感又は光沢感が不足する。逆に、インキ量が過剰になると、印刷濃度が高くなり、中間調の網点がつぶれるなどにより所望の階調再現が困難となる。
【０００４】
また、オフセット印刷では、インキ量の調整とともに湿し水量を調整する必要がある。
【０００５】
インキ量に対して湿し水量が多いと、インキが過乳化し、安定した印刷品質を得ることが困難になる。逆にインキ量に対して湿し水量が少ないと、地汚れが発生する場合がある。
【０００６】
そこで、オペレータは、所望の階調再現が可能となるように、インキ量と湿し水量とのバランス（以下、「インキ／水バランス」という）を調整する。オペレータは、目視で印刷物をチェックし、インキ量と湿し水量とが適切になるように調整を行い、表現豊かな印刷物を得る。
【０００７】
しかしながら、印刷機は、インキ又は用紙などの材料、あるいは印刷現場の環境に伴う様々な変動要因のために、頻繁に状態が変化する。印刷機の状態は、印刷中であってもわずかながら変化している。このため、印刷物（例えば印刷シート）のインキ濃度又はインキ／水バランスなどが変化し、結果として印刷色調が変化する場合がある。
【０００８】
このような状況で、表現豊かな印刷物を安定して得るためには、オペレータがわずかな色調の変化を確実に把握してインキ量と湿し水量とを調整する高度な熟練技術を持つことが要求される。しかしながら、このような熟練した技術を持つオペレータの数は減少しつつある。
【０００９】
上記のような問題を解消するために、様々な発明がなされており、実用化されている。例えば、オンラインの装置では、特許第３２６５９０２号の色評価装置、特許第３２１８９１０号の印刷物評価装置、特許第３１４９７２３号の絵柄位置検出装置が提案されている。
【００１０】
これらの文献で開示されている装置は、印刷中に適宜抜き取られた印刷物の測色データを検出し、基準印刷物から得られた測色データとこの検出された測色データとを比較し、印刷物のわずかな色調の変化を検出する。
【００１１】
また、インラインの装置として、印刷物中にレイアウトされたカラーバーの色を測定し、測定された測色データと基準印刷物の測色データとを比較することによって色調の変化を検出する装置が市販されている。このような装置の一例として、色調の変化分をインキ量に変換しインキキー開度にフィードバックすることによって、自動的に所望のインキ量への調整を行うインライン色調制御装置がある。
【００１２】
しかしながら、上記のようなオフラインの色評価装置、印刷物評価装置、絵柄位置検出装置、インライン色調制御装置は、印刷中の印刷物の濃度値又は測色値を用いて色調調整のためのインキ量を調整する目的で開発されており、時々刻々と変化する印刷機の状態までを考慮して印刷の仕上り具合を適切に調整することは困難である。
【００１３】
例えば、目標濃度などを定めておき、上記のような市販のインライン色調制御装置を用いて印刷を行うと、印刷機の状態が良好な場合には、いつも同レベルの印刷色調にすばやく調整可能である。
【００１４】
しかしながら、印刷機の状態が良好でない場合には、測色された測色データが目標濃度となるように印刷を行っても、階調再現が印刷の状態から影響を受けて変化し、いつも同レベルの印刷物を得ることが困難となる。
【００１５】
熟練した技術を持つオペレータは、印刷機の状態を頻繁に観察し、所望の印刷物が得られるように、インキ量と湿し水量を微調整することが可能である。しかし、このような熟練した技術を持つオペレータであっても、全ての印刷物をチェックすることはなく、印刷機の状態を常に把握することは容易でない。
【００１６】
また、オペレータは、印刷物に何か変化があったと感じた場合であっても、この変化がどの程度の変化なのか、この変化の原因は何か、などを的確に判断することは困難である。
【００１７】
このような問題を解決する技術として、特開２００１−３２５０９２号公報に開示されている発明がある。
【００１８】
この特開２００１−３２５０９２号公報には、インターネットを利用して各印刷拠点の異常検出又は印刷品質の診断を効果的に行う印刷機遠隔診断システムが開示されている。
【００１９】
この特開２００１−３２５０９２号公報では、多数の現地印刷拠点を地域毎にグルーピングしたサービス拠点と、各印刷機の技術情報とともに異常復帰用のサービス情報を管理する統括管理拠点との間が、ＷＷＷサーバによりネットワークに接続されている。サービス拠点は、サンプル印刷物より印刷品質を検出してこの印刷品質を定量化する印刷品質検出装置を備えている。この定量化された印刷品質を表す印刷品質データは、ネットワークを介してサービス拠点から統括拠点に転送される。そして、統括拠点では、所定の診断が行われ、この診断結果がサービス拠点又はサービスマンに送信される。
【００２０】
これにより、印刷機に異常が発生した場合に、印刷機を効率よく修理可能である。
【特許文献１】特許第３２６５９０２号
【特許文献２】特許第３２１８９１０号
【特許文献３】特許第３１４９７２３号
【特許文献４】特開２００１−３２５０９２号公報
【発明の開示】
【発明が解決しようとする課題】
【００２１】
印刷機の状態、及び印刷機に備えられているブランケット又はローラなどの消耗品の状態は、時々刻々と変化する。
【００２２】
印刷色調は、印刷機の状態変化及び消耗品の状態変化から影響を受ける。しかしながら、仮に印刷機の状態又は消耗品の状態が変化した場合であっても、印刷機を修理するほどの異常が発生したわけでなく、印刷機の調整、消耗品の調整、消耗品の交換などにより対処可能な場合がある。
【００２３】
上記の特開２００１−３２５０９２号公報では、印刷を中止する程の異常が発生し、印刷機メーカに修理を依頼する場合にユーザは効率的なサービスを受けることが可能である。
【００２４】
また、印刷物の得られた印刷状態を把握するために、スラーゲージ又は線数の異なる網点を特別に配置した専用の管理ゲージを用いる技術がある。
【００２５】
この専用の管理ゲージを用いる技術では、専用の管理ゲージを限られた印刷用紙の印刷レイアウト以外の余白部分に予め配置する必要がある。しかしながら、印刷シートにおける余白スペースが狭い場合、専用の管理ゲージを余白部分に配置することが困難である。
【００２６】
特に、印刷用紙の余白部分にカラーバーを配置し、カラーバーを測定することによって印刷品質管理を行い、又はカラーバーから得られた測色データを用いてインキ量を調整するインラインの色調制御装置を使用する場合、余白部分にはすでにカラーバーが配置されているため、さらに余白部分に専用の管理ゲージを配置することは困難である。
【００２７】
カラーバー内にはインキキー毎に限られた数のパッチしか配置できない。一般的な印刷品質管理のためのカラーパッチは、墨（ブラック：Ｋ）、藍（シアン：Ｃ）、紅（マゼンタ：Ｍ）、黄（イエロー：Ｙ）のベタパッチ（網点面積率１００％）、墨、藍、紅、黄の網点面積率７５％のパッチ、墨、藍、紅、黄の網点面積率５０％のパッチ、ＲＧＢの二次色パッチ、又は３Ｃグレーパッチをインキキー毎に具備する。このため、さらに、カラーバー内に専用の管理ゲージに相当するパッチを配置させることは困難である。
【００２８】
また、印刷シートの余白部分に専用の管理ゲージを配置させることができたとしても、この専用の管理ゲージは特定の印刷現象を把握することを目的に設計されているため、印刷絵柄に影響を与える全ての印刷機のわずかな状態変化を的確に検出することは困難である。
【００２９】
また、この特定の印刷現象を検出する場合であっても、印刷現象の発生の仕方は、印刷中一時的に発生する場合又は周期的に変化する場合など、様々であるため、オペレータが適宜抜き取り検査を行って印刷物にレイアウトされた専用の管理ゲージを観察したとしても、特定の印刷現象の検出が困難な場合がある。
【００３０】
本発明は、以上のような実情に鑑みてなされたもので、わずかな印刷機の状態変化、一時的又は周期的な印刷現象を専用の管理ゲージなどの特別なパッチを用いることなく、的確に検出するとともに、原因を判断するための印刷診断方法及び装置並びに印刷データ表示装置を提供することを目的とする。
【課題を解決するための手段】
【００３１】
本発明を実現するにあたって講じた具体的手段について以下に説明する。
【００３２】
本発明の第１例において、印刷診断方法は、それぞれが単色ベタパッチと、網点面積率３０〜９０％の単色平網パッチとを備える複数の印刷物について、単色ベタパッチの色管理データと単色平網パッチの色管理データとを経時的に測定し、複数の印刷物についての単色ベタパッチの色管理データの経時的変化と単色平網パッチの色管理データの経時的変化とを表示する。
【００３３】
これにより、印刷物の色管理データの経時変化をオペレータに知らせることができる。
【００３４】
本発明の第２例において、印刷診断方法は、それぞれが単色ベタパッチと、網点面積率３０〜９０％の単色平網パッチとを備える複数の印刷物について、単色ベタパッチの色管理データと単色平網パッチの色管理データとを経時的に測定し、単色ベタパッチ及び単色平網パッチの経時的変化の内容と印刷状態とを関係付けた診断規則にしたがって、複数の印刷物から測定された単色ベタパッチの色管理データの経時的変化と単色平網パッチの色管理データの経時的変化とを診断し、複数の印刷物についての印刷状態を表示する。
【００３５】
これにより、単色ベタパッチと単色平網パッチのわずかな挙動変化に基づいて、印刷状態を診断できる。単色ベタパッチと単色平網パッチとは、印刷状態に影響を受け、印刷状態の内容に応じた固有の特徴（挙動）を持つ。この固有の特徴に基づいて印刷状態を把握できる。
【００３６】
これに対し、ベタ濃度値と平網濃度値とを用いて、一般的によく知られているマレーデービスの式によってドットゲインを求めたとする。この場合、このドットゲイン値は生データではなく、ベタ濃度と平網濃度から求められる計算値であるので、このドットゲインの経時変化では、印刷状態の固有の特徴を把握することは困難である。印刷状態は、単色ベタパッチと単色平網パッチとの色管理データの経時的変化を比較することで、的確に把握し、固有の特徴を判断できる。
【００３７】
本発明の第３例において、上記第２例の診断規則は、単色ベタパッチの濃度の経時的変化と単色平網パッチの濃度の経時的変化とが安定状態の場合を定常状態とすると定義されている。
【００３８】
本発明の第４例において、上記第２例の診断規則は、単色ベタパッチの濃度の経時的変化が安定状態であって、単色平網パッチの濃度の経時的変化において変動幅が所定の許容レベルより大きい場合をダブリとスラーの少なくとも一方の発生状態とすると定義されている。
【００３９】
本発明の第５例において、上記第２例の診断規則は、単色ベタパッチの濃度の経時的変化において変動幅が所定の第１許容レベルより大きく単色平網パッチの濃度の経時的変化において変動幅が所定の第２許容レベルより大きい場合をインキ／水バランスの不安定状態とすると定義されている。
【００４０】
本発明の第６例において、上記第２例の診断規則は、単色ベタパッチの濃度の経時的変化と単色平網パッチの濃度の経時的変化とが周期的に変動している場合をインキ／水バランスの不安定状態とすると定義されている。
【００４１】
本発明の第７例は、上記第１例〜第６例までの印刷診断方法において、単色ベタパッチの色管理データと単色平網パッチの色管理データとの経時的測定は、少なくとも印刷機による連続的な印刷物の印刷１００回に対して１回行われる印刷診断方法である。
【００４２】
これにより、従来の測定では検出困難であったインキ／水バランスの不良、スラー発生、ダブリ発生などの微妙な印刷状態までを的確に検出し、オペレータに知らせることができる。
【００４３】
本発明の第８例において、印刷診断装置は、それぞれが単色ベタパッチと、網点面積率３０〜９０％の単色平網パッチとを備える複数の印刷物について、単色ベタパッチの色管理データと単色平網パッチの色管理データとを経時的に測定する手段と、複数の印刷物についての単色ベタパッチの色管理データの経時的変化と単色平網パッチの色管理データの経時的変化とを表示する手段とを具備する。
【００４４】
本発明の第９例において、印刷診断装置は、それぞれが単色ベタパッチと、網点面積率３０〜９０％の単色平網パッチとを備える複数の印刷物について、単色ベタパッチの色管理データと単色平網パッチの色管理データとを経時的に測定する手段と、単色ベタパッチ及び単色平網パッチの経時的変化の内容と印刷状態とを関係付けた診断規則にしたがって、複数の印刷物から測定された単色ベタパッチの色管理データの経時的変化と単色平網パッチの色管理データの経時的変化とを診断する手段と、複数の印刷物についての印刷状態を表示する手段とを具備する。
【００４５】
本発明の第１０例において、印刷データ表示装置は、それぞれが単色ベタパッチと、網点面積率３０〜９０％の単色平網パッチとを備える複数の印刷物について、単色ベタパッチの色管理データと単色平網パッチの色管理データとを経時的に測定した結果に基づいて、単色ベタパッチの色管理データの経時的変化と単色平網パッチの色管理データの経時的変化とを対比可能な状態で表示する。
【００４６】
本発明の第１１例において、印刷データ表示装置は、それぞれが単色ベタパッチと、網点面積率３０〜９０％の単色平網パッチとを備える複数の印刷物について、単色ベタパッチの色管理データと単色平網パッチの色管理データとを経時的に測定した結果と、単色ベタパッチ及び単色平網パッチの経時的変化の内容と印刷状態とを関係付けた診断規則にしたがって、単色ベタパッチの色管理データの経時的変化と単色平網パッチの色管理データの経時的変化とを診断した結果とに基づいて、複数の印刷物についての印刷状態を表示する。
【００４７】
上記第８例、第１０例においても、上記第１例と同様の効果を得ることができ、また、上記第９、第１１例においても、上記第２例と同様の効果を得ることができる。
【発明の効果】
【００４８】
本発明においては、わずかな印刷機の状態変化、一時的又は周期的な印刷現象を専用の管理ゲージなどの特別なパッチを用いることなく、的確に検出することができる。
【００４９】
また、本発明においては、印刷機の状態変化、一時的又は周期的な印刷現象の原因を判断するための診断情報をオペレータに通知できる。
【発明を実施するための最良の形態】
【００５０】
以下、図面を参照しながら本発明の実施の形態について説明する。なお、以下の説明において、同一の部分については同一の符号を付して説明を省略する。
【００５１】
（第１の実施の形態）
図１は、本実施の形態に係る印刷診断方法を実現する印刷診断装置の一例を示すブロック図である。
【００５２】
なお、本実施の形態に係る印刷診断方法では、印刷された印刷物から測定された色管理データ（測定データ）は濃度値を表すとして説明を行うが、測色値などを表すとしてもよい。
【００５３】
本実施の形態において、印刷診断装置１は、印刷機（オフセット輪転機）２に取り付けられている。
【００５４】
測定ヘッド３ａ，３ｂは、印刷機２に具備されている墨、藍、紅、黄の各印刷ユニット２ａ〜２ｄを通過した後のウェブ４の色管理データを測定する。各印刷ユニット２ａ〜２ｄには、ブランケット胴５、版胴６、インキローラ７が具備されている。なお、図１では、印刷ユニット２ａについてのみブランケット胴５、版胴６、インキローラ７の符号を付し、他の印刷ユニット２ｂ〜２ｄについては符号を省略している。
【００５５】
色調管理装置８は、測定ヘッド３ａ，３ｂ、取得部８ａ、色管理制御部８ｂを具備する。
【００５６】
取得部８ａは、測定ヘッド３ａ，３ｂで測定された各色管理データを取得する。
【００５７】
色管理制御部８ｂは、測定ヘッド３ａ，３ｂによって測定され、取得された色管理データが基準値によって定まる所定の許容範囲に属するように、例えばインキキー操作量又はインキキー開度などのような制御実行値を求め、この制御実行値を印刷制御装置９に提供する。
【００５８】
印刷制御装置９は、色管理制御部８ｂから制御実行値を受け付け、この制御実行値にしたがって印刷機２を制御する。例えば、印刷制御装置９は、色管理制御部８ｂから受け付けたインキキー操作量又はインキキー開度にしたがってインキキーを操作する。
【００５９】
印刷機２は、墨、藍、紅、黄の単色ベタパッチと、墨、藍、紅、黄の網点面積率３０〜９０％の単色平網パッチとを備える印刷物を連続的に印刷する。
【００６０】
本実施の形態において、測定ヘッド３ａ，３ｂは、印刷機２によって連続的に印刷された印刷物のうち、複数の印刷物について、単色ベタパッチの色管理データと単色平網パッチの色管理データとを経時的に測定する。
【００６１】
印刷診断装置１は、取得部１ａ、演算部１ｂ、表示部１ｃを具備する。
【００６２】
取得部１ａは、測定ヘッド３ａ，３ｂで経時的に測定された各色管理データを取得し、この各色管理データを演算部１ｂに提供する。
【００６３】
演算部１ｂは、取得部１ａから受け付けた各色管理データに対して所望のデータ処理を実行し、処理された各色管理データを表示部１ｃに提供する。
【００６４】
表示部１ｃは、演算部１ｂから受け付けた処理された単色ベタパッチの色管理データと単色平網パッチの色管理データとの経時的変化を表示する。なお、表示部１ｃは、単色ベタパッチの色管理データと単色平網パッチの色管理データの双方を対比可能に表示する。表示部１ｃは、単色ベタパッチの色管理データと単色平網パッチの色管理データの双方を一度に表示することが好ましいが、単色ベタパッチの色管理データと単色平網パッチの色管理データを交互に表示することで対比可能としてもよい。
【００６５】
図２は、印刷物（印刷シート）上の測定位置の一例を示す図である。
【００６６】
ウェブ４上の印刷レイアウト１０の余白部分に、単色ベタパッチと単色平網パッチとを含むカラーバー１１が配置されている。
【００６７】
インライン型の色調管理装置８では、ウェブ４に印刷されたカラーバー１１が印刷実行中に測定される。
【００６８】
インライン型の色調管理装置８は、カラーバー１１全体を測定し、測定された色管理データを基準値と比較し、適切なインキ量となるようにインキキー操作量又はインキキー開度を求め、求められたインキキー操作量又はインキキー開度を印刷制御装置９に提供する。
【００６９】
ここで、通常のインライン型の色調管理装置について簡単に説明する。通常のインライン型の色調管理装置では、印刷機の上刷面側、下刷面側のそれぞれに測定ヘッドが１つずつ設けられており、各測定ヘッドは、ウェブを左右に走査し、カラーバー全体を測定する。この場合、各測定ヘッドによるカラーバーの個々のパッチ測定頻度は、１走査に１回である。通常のインライン型の色調管理装置では、ウェブの幅にもよるが、１回の走査に約１５〜３０秒の時間を要する。このため、カラーバーの個々のパッチ測定頻度は１５〜３０秒に１回となる。仮に印刷スピードが１０００RPMの場合には、印刷物２５０〜５００枚に１回の測定頻度となる。通常のインライン型の色調管理装置においては、このように、印刷物２５０〜５００枚に１回の測定頻度で、印刷実行中の印刷シート上のインキ量を適切に調整する。
【００７０】
本実施の形態に係る印刷診断方法では、ウェブ４上に印刷された墨、藍、紅、黄の単色ベタパッチと、墨、藍、紅、黄の網点面積率３０〜９０％の単色平網パッチを継続測定する。
【００７１】
なお、墨、藍、紅、黄の単色平網パッチの網点面積率を９０％以下とする理由は、単色平網パッチの網点面積率が９０％より大きい場合、単色平網パッチの網点面積率が単色ベタパッチに近くなるため、単色平網パッチの特徴が単色ベタパッチの特徴に近づき、単色平網パッチと単色ベタパッチの双方を測定する意義が小さくなり、診断に用いることが困難となるためである。
【００７２】
また、墨、藍、紅、黄の単色平網パッチの網点面積率を３０％以上とする理由は、単色平網パッチの網点面積率が３０％より小さい場合、単色平網パッチの濃度が薄くなり、単色平網パッチの特徴が現れにくくなり、単色平網パッチの色管理データを診断の判断に用いることが困難となるためである。
【００７３】
単色ベタパッチと単色平網パッチとを継続して測定する測定方法として、印刷機２の上刷面側、下刷面側のそれぞれを、複数の測定ヘッドで測定する方法を適用してもよい。
【００７４】
また、測定ヘッドの増設には費用が必要となるため、カラーバー１１全体を測定するのではなく、カラーバー１１に含まれているパッチのうち単色平網パッチと単色ベタパッチとを含む任意の位置のみを測定して、継続測定を実現するとしてもよい。
【００７５】
本実施の形態では、印刷機２の上刷面側、下刷面側のそれぞれ一台の測定ヘッド３ａ，３ｂで、単色平網パッチと単色ベタパッチとを含むウェブ４上の４つの位置が測定されるとする。
【００７６】
本実施の形態におけるウェブ４と印刷レイアウト１０、測定位置Ｐ１〜Ｐ４との関係は、上記図２に表されている。
【００７７】
オフセット輪転機による印刷レイアウトには、通常、上刷面、下刷面のそれぞれに、８ページ又は１６ページの内容が含まれる。上記図２では、印刷レイアウト１０の片面に８ページの内容が印刷されている。
【００７８】
この図２では、印刷方向に垂直な方向（幅方向）に４ページ分の内容が並んでいる。すなわち、本実施の形態では、幅方向に４つの面Ａ１〜Ａ４が配置されている。
【００７９】
この面Ａ１〜Ａ４の配置に応じて、絵柄の配置又は文字の配列が定められるため、この面Ａ１〜Ａ４毎に、印刷状態の把握を行う。
【００８０】
本実施の形態では、カラーバー１１の測定において、４つの面Ａ１〜Ａ４の各中心位置に存在する墨、藍、紅、黄の単色ベタパッチと、墨、藍、紅、黄の単色平網パッチとを継続測定する。
【００８１】
以下に、本実施の形態に係る印刷診断方法の適用例について説明する。上述したように、墨、藍、紅、黄の単色平網パッチの網点面積率は、３０〜９０％の間であればよいが、以下においては７５％の場合について説明を行う。また、以下においては印刷物が印刷シートであるとして説明を行う。
【００８２】
本実施の形態において、測定頻度は、約５枚の印刷シートに対して１回の測定とする。また、測定された約５枚毎の色管理データを用いて、印刷シート約１０枚毎、約２０枚毎、約５０枚毎、約１００枚毎、約２００枚毎に１回の測定頻度となる色管理データを得るために、間引き処理を実行する。そして、それぞれの測定頻度毎に、測定された色管理データの経時変化によって得られる挙動の関係について、シミュレーションを実行し、特徴の把握を行う。
【００８３】
図３は、測定頻度と測定された色管理データの経時変化の挙動との関係の一例を示すグラフである。
【００８４】
この図３において、左側は単色ベタパッチの濃度の挙動の一例を示し、右側は単色平網パッチ（７５％）の濃度の挙動の一例を示す。
【００８５】
図３において、上から順に、測定頻度が５枚、１０枚、２０枚、５０枚、１００枚、２００枚に１回の場合を表している。
【００８６】
測定頻度が５枚に１回の色管理データはオリジナルデータであり、測定頻度が１０枚、２０枚、５０枚、１００枚、２００枚に１回の色管理データは、オリジナルデータからの抽出により得られる。
【００８７】
この図３では、測定頻度が５枚、１０枚、２０枚毎に１回の場合、色管理データの挙動について、周期的な変動、及び印刷濃度の変化状態を把握することができる。
【００８８】
測定頻度が５０枚、１００枚に１回の場合、色管理データの挙動について、印刷濃度の周期的な変動は把握することができる。しかしながら、印刷濃度の変化状態については、濃度のばらつきが大きくなる状態、一時的に濃度が変化する状態がかろうじて把握することができる程度になる。
【００８９】
測定頻度が２００枚に１回の場合、色管理データの挙動について、印刷濃度の周期的な変動はかろうじて把握することができる程度になる。
【００９０】
このようなシミュレーションの結果から、測定頻度は、少なくとも印刷シート１００枚に１回とすることが好ましいことがわかるが、通常の測定頻度でも、ある程度のレベルまでは印刷濃度の周期的な変動を把握することができる。
【００９１】
以下に、実際の測定結果について説明する。
【００９２】
まず、オペレータの操作により、通常の印刷作業を開始し、適当なインキ量と湿し水量への調整を行い、４分後に、ある所定の印刷品質を持つＯＫシートを得た。
【００９３】
そして、測定ヘッド３ａ，３ｂにより、カラーバー１１の各面Ａ１〜Ａ４の測定位置（中心部）に配置されている墨、藍、紅、黄の単色ベタパッチ及び墨、藍、紅、黄の単色平網パッチを、印刷シート５枚に１枚の測定周期で、約３０００回測定した。測定ヘッド３ａ，３ｂは、ある測定位置の測定が終了すると、次の測定位置に移動する。
【００９４】
図４は、このような実際の測定結果を表示部１ｂによって表示した画面の一例を示す図である。
【００９５】
この図４において、測定された墨、藍、紅、黄の単色ベタパッチ及び墨、藍、紅、黄の単色平網パッチ毎の濃度値は、直ちに経時的に表示されている。
【００９６】
オペレータは、この画面から常に現在の印刷状態を確認可能である。
【００９７】
この図４において、墨、藍、紅、黄の単色ベタパッチの濃度値、及び墨、藍、紅、黄の単色平網パッチの濃度値の挙動は、一定幅を保ちながら安定している。この実際の測定結果の例では、ＯＫシートが得られた後の平均色差は１．４程度であり、安定した印刷状態であることが分かる。
【００９８】
図５は、本実施の形態に係る印刷診断方法の一例を示すフローチャートである。
【００９９】
ステップＳ１において、測定ヘッド３ａ，３ｂは、少なくとも印刷１００回に対して１回の周期で、墨、藍、紅、黄の単色ベタパッチと墨、藍、紅、黄の網点面積率３０〜９０％の単色平網パッチとの色管理データを経時的に測定する。
【０１００】
ステップＳ２において、取得部１ａは、測定された墨、藍、紅、黄の単色ベタパッチの色管理データと墨、藍、紅、黄の単色平網パッチの色管理データとを受け付ける。
【０１０１】
ステップＳ３において、演算部１ｂは、取得部１ａによって受け付けられた色管理データを表示し易いように所望のデータ処理を実行する。
【０１０２】
ステップＳ４において、表示部１ｃは、各墨、藍、紅、黄の単色ベタパッチの色管理データの経時的変化と墨、藍、紅、黄の単色平網パッチの色管理データの経時的変化とを表示する。
【０１０３】
以上説明した本実施の形態では、表示部１ｃの表示画面から印刷機２のわずかな状態変化、各種の印刷現象の発生を確認することができる。
【０１０４】
これにより、オペレータは、適切な処置を行うことができ、印刷機による印刷状態を良好に保つことができ、迅速にＯＫシートの作成でき、また、ＯＫシートが得られた後の印刷品質を良好に安定させることができる。
【０１０５】
なお、本実施の形態において、取得部１ａは、取得した各色管理データを図示しない記録部に記録し、演算部１ｂは、この記録部に記録された色管理データに対して所望の処理を施し、表示部１ｃは、この演算部１ｂで処理された色管理データに基づいて表示を行うとしてもよい。
【０１０６】
（第２の実施の形態）
本実施の形態においては、メンテナンスが不十分な印刷機２について印刷状態の原因を自動診断する印刷診断方法について説明する。
【０１０７】
図６は、本実施の形態に係る印刷診断方法を実現する印刷診断装置の一例を示すブロック図である。
【０１０８】
印刷診断装置１２は、取得部１２ａ、診断規則受付部１２ｂ、記録部１２ｃ、診断部１２ｄ、表示部１２ｅを具備する。
【０１０９】
取得部１２ａは、測定ヘッド３ａ，３ｂで経時的に測定された各色管理データを取得し、この各色管理データを診断部１２ｄ及び表示部１２ｅに提供する。
【０１１０】
診断規則受付部１２ｂは、測定された色管理データから診断結果を得る診断処理に用いられる診断規則をオペレータから受け付け、この診断規則を表す診断規則データ１３を記録部１２ｃに記録する。
【０１１１】
本実施の形態において、診断規則データ１３では、各種の印刷状態と、単色ベタパッチと単色平網パッチとの経時的変化の内容とが関係付けされている。
【０１１２】
診断部１２ｄは、経時的に測定された単色ベタパッチの色管理データと単色平網パッチの色管理データとを取得部１２ａから受け付けるとともに、記録部１２ｃから診断規則データ１３を読み出す。
【０１１３】
また、診断部１２ｄは、測定された単色ベタパッチの色管理データの経時的変化と単色平網パッチの色管理データの経時的変化とが、診断規則データ１３におけるどの印刷状態に相当するか判断し、診断結果を示す診断データを表示部１２ｅに提供する。
【０１１４】
すなわち、診断部１２ｄは、測定された色管理データの経時的変化と診断規則データ１３における単色ベタパッチと単色平網パッチとの経時的変化とを比較し、対応する印刷状態を求める。
【０１１５】
表示部１２ｅは、取得部１２ａから受け付けた単色ベタパッチの色管理データの経時的変化と、単色平網パッチの色管理データの経時的変化とを表示するとともに、診断部１２ｄから受け付けた診断データを表示する。
【０１１６】
以下において、本実施の形態に係る印刷診断方法の概念について説明する。
【０１１７】
上述したように、本実施の形態では、印刷機２のメンテナンスが不十分であるとする。
【０１１８】
メンテナンスが不十分な印刷機２は、印刷状態が安定しない傾向がある。このため、ＯＫシートを得るまでに時間がかかることが多い。また、メンテナンスが不十分な印刷機２では、ＯＫシートを得た後であってもオペレータが頻繁に印刷シートをチェックし、適切なインキ量と湿し水量の調整を行う必要がある。頻繁に、印刷シートのチェック、適切なインキ量と湿し水量の調整を行わなければ、高品質の印刷シートを提供することが困難となる。
【０１１９】
本実施の形態においては、印刷機２の状態を把握、整備するために様々な絵柄に対して印刷テストを行う。
【０１２０】
また、本実施の形態では、測定ヘッド３ａ，３ｂにより、３５００回から１３０００回、カラーバー１１内の測定位置の各墨、藍、紅、黄の単色ベタパッチと墨、藍、紅、黄の単色平網パッチ（網点面積率３０％〜９０％）の色管理データを測定する。測定頻度は、本実施の形態においても、印刷シート５枚に対して１回とする。
【０１２１】
図７は、本実施の形態において測定された単色ベタパッチと単色平網パッチの色評価データの経時的変化の一例を示す図である。
【０１２２】
この図７では、ある色について単色ベタパッチと単色平網パッチの濃度値の経時的変化が表示部１２ｅによって表示された場合を表している。
【０１２３】
通常、単色ベタパッチと単色平網パッチの濃度値の経時的変化は定常状態となるが、この図７では、定常状態ではない印刷状態を表している。
【０１２４】
上記図７のうち、挙動状態Ｂ１では、単色平網パッチの濃度の変動幅が所定の第１許容範囲より大きくなっている。この挙動状態Ｂ１の場合には、ダブリ、スラーが発生していると考えられる。
【０１２５】
挙動状態Ｂ２では、単色ベタパッチの濃度値が所定の第２許容範囲より大きくなっており（定常状態より若干大きい状態）、かつ単色平網パッチの濃度値が所定の第３許容範囲より大きくなっている（定常状態と比べて異常に大きい状態）。この挙動状態Ｂ２の場合には、インキ／水バランスが不安定であることを原因として、インキの転移・転写が不安定になっている状態が発生していると考えられる。
【０１２６】
挙動状態Ｂ３では、単色ベタパッチの濃度値と単色平網パッチの濃度値とが周期的に変化している。この挙動状態Ｂ３の場合、インキ／水バランスが不適切であると考えられる。
【０１２７】
診断部１２ｄは、このような診断規則にしたがって、診断処理を実行する。なお、上記第１〜３許容範囲については、実験など実際に印刷状態の変化している濃度値とその原因との関係を予め調査し、設定することができる。
【０１２８】
そして、診断結果を表示部１２ｅに表示することにより、印刷機２の適切なメンテナンスを行うことができ、必要な部分のみを重点的に修理でき、従来の印刷機のメンテナンスよりも修理日程、修理費を大幅に削減できる。
【０１２９】
以下に、実際の測定結果について説明する。
【０１３０】
本実施の形態において、メンテナンス後、オペレータの操作により通常の印刷作業を行った場合、上記第１の実施の形態とほぼ同様に、５分程度でＯＫシートを得ることができた。
【０１３１】
その後、上記第１の実施の形態と同様に、測定ヘッド３ａ，３ｂにより、カラーバー１１の各面Ａ１〜Ａ４の測定位置における墨、藍、紅、黄の単色ベタパッチ及び墨、藍、紅、黄の単色平網パッチを、印刷シート５枚に１枚の測定周期で、約３０００回測定した。
【０１３２】
この場合、本実施の形態においても、上記第１の実施の形態と同様な定常状態であることが確認された。このまま印刷終了まで印刷状態は安定しており、ＯＫシート後の平均色差１．５程度の安定した印刷が可能であった。
【０１３３】
図８は、本実施の形態に係る印刷診断方法の一例を示すフローチャートである。
【０１３４】
ステップＴ１，Ｔ２は、上記図５のステップＳ１，Ｓ２と同様である。
【０１３５】
ステップＴ３において、診断部１２ｄは、記録部１２ｃの診断規則データ１３に基づいて、各面Ａ１〜Ａ４における各墨、藍、紅、黄の単色ベタパッチの色管理データと墨、藍、紅、黄の単色平網パッチの色管理データの経時的変化の内容に対応する墨、藍、紅、黄の印刷状態を求め、診断データを作成する。
【０１３６】
ステップＴ４において、表示部１２ｅは、診断データに基づいて、各面Ａ１〜Ａ４における印刷状態の診断結果を表示する。
【０１３７】
図９は、表示部１２ｅに表示された診断結果の一例を示す画面である。
【０１３８】
この図９では、表示画面１４に、各面Ａ１〜Ａ４における測定位置が表されている。また、各面Ａ１〜Ａ４における墨、藍、紅、黄について、定常状態か、ダブリ、スラーが発生しているか、インキ／水バランスの不良が発生しているか、について表形式で表示されている。
【０１３９】
図１０は、診断部１２ｄの診断処理の一例を示すフローチャートである。なお、以下の処理は、各面Ａ１〜Ａ４における各色（墨、藍、紅、黄）について実行される。
【０１４０】
ステップＵ１において、診断部１２ｄは、単色ベタパッチの濃度値の経時的変化が安定しているか否か判断する。
【０１４１】
このステップＵ１において単色ベタパッチの濃度値の変化が安定している場合、ステップＵ２において、診断部１２ｄは、単色平網パッチの濃度値の変化が安定しているか否か判断する。
【０１４２】
このステップＵ２において単色平網パッチの濃度値の変化が安定している場合、ステップＵ３において、診断部１２ｄは、定常状態であると診断する。
【０１４３】
一方、ステップＵ２において単色平網パッチの濃度値の変化が安定していない場合、ステップＵ４において、診断部１２ｄは、ダブリ、スラーが発生していると診断する。
【０１４４】
上記ステップＵ１において単色ベタパッチの濃度値の変化が安定していない場合、ステップＵ５において、診断部１２ｄは、単色ベタパッチの濃度値と単色平網パッチの濃度値とが周期的に変化しているか否か判断する。
【０１４５】
このステップＵ５において周期的に変化していると判断された場合、ステップＵ６において、診断部１２ｄは、インキ／水バランス不良が発生していると診断する。
【０１４６】
一方、ステップＵ５において周期的に変化していないと判断された場合、ステップＵ７において、診断部１２ｄは、単色平網パッチの濃度値の変化が安定しているか否か判断する。
【０１４７】
このステップＵ７において単色平網パッチの濃度値の変化が安定している場合、ステップＵ８において、診断部１２ｄは、印刷シートが不良であると診断する。
【０１４８】
ステップＵ７において単色平網パッチの濃度値の変化が安定していない場合、ステップＵ９において、診断部１２ｄは、インキ／水バランス不良が発生していると診断する。
【０１４９】
以上説明した本実施の形態では、上記第１の実施の形態と同様の効果に加えて、印刷機２の状態変化、各種の印刷現象の発生の原因を確認することができる。
【０１５０】
これにより、オペレータは、一層印刷機２について適切な処置を行うことができ、印刷機２による印刷状態を良好に保つことができ、迅速にＯＫシートの作成ができ、ＯＫシートが得られた後の印刷品質を安定させることができる。
【０１５１】
なお、本実施の形態において、取得部１２ａは、取得した各色管理データを記録部１２ｃに記録し、診断部１２ｄ及び表示部１２ｅは、この記録部１２ｃに記録されている各色管理データを読み出すとしてもよい。
【０１５２】
上記各実施の形態において、各構成要素は、同様の動作を実現可能であれば自由に変形可能であり、配置を変更させてもよく、自由に組み合わせることが可能であり、分割することも可能である。例えば、色調管理装置８と印刷診断装置１又は１２とを組み合わせてもよい。また、実施の形態は墨、藍、紅、黄の４色機としたが、１色機や２色機、あるいは特色を含む印刷機などにも同様に適用可能である。
【０１５３】
本実施の形態における印刷診断装置１，１２としての機能は、プログラムを読み込んだコンピュータにより実現されるとしてもよい。
【０１５４】
この場合、プログラムは、例えば磁気ディスク（フレキシブルディスク、ハードディスク等）、光ディスク（ＣＤ−ＲＯＭ、ＤＶＤ等）、半導体メモリなどの記録媒体に書き込んで、コンピュータに適用可能である。
【０１５５】
また、このプログラムを通信媒体により伝送し、コンピュータに適用することも可能である。コンピュータは、プログラムを読み込み、プログラムによって動作が制御されることにより、印刷診断装置１，１２としての各機能を実現する。
【産業上の利用可能性】
【０１５６】
本発明は、印刷機による印刷状態を診断する印刷診断方法及び装置並びに印刷データ表示装置に適用される。
【図面の簡単な説明】
【０１５７】
【図１】本発明の第１の実施の形態に係る印刷診断方法を実現する印刷診断装置の一例を示すブロック図。
【図２】印刷物の測定位置の一例を示す図。
【図３】測定頻度と測定された色管理データの経時変化の挙動との関係の一例を示すグラフ。
【図４】表示部によって表示した画面の一例を示す図。
【図５】同実施の形態に係る印刷診断方法の一例を示すフローチャート。
【図６】本発明の第２の実施の形態に係る印刷診断方法を実現する印刷診断装置の一例を示すブロック図。
【図７】同実施の形態において測定された単色ベタパッチと単色平網パッチの色評価データの経時的変化の一例を示す図。
【図８】同実施の形態に係る印刷診断方法の一例を示すフローチャート。
【図９】表示部に表示された診断結果の一例を示す画面。
【図１０】診断部の診断処理の一例を示すフローチャート。
【符号の説明】
【０１５８】
１，１２…印刷診断装置、１ａ，８ａ，１２ａ…取得部、１ｂ…演算部，１ｃ，１２ｅ…表示部、３ａ，３ｂ…測定ヘッド、４…ウェブ、５…ブランケット胴、６…版胴、７…インキローラ、８…色調管理装置、８ｂ…色管理制御部、９…印刷制御装置、１０…印刷レイアウト、１１…カラーバー、Ａ１〜Ａ４…面、Ｐ１〜Ｐ４…測定位置、１２ｂ…診断規則受付部、１２ｃ…記録部、１２ｄ…診断部、１３…診断規則データ、１４…表示画面
【図１】
2006068965.tif 000003
【図２】
2006068965.tif 000004
【図３】
2006068965.tif 000005
【図４】
2006068965.tif 000006
【図５】
2006068965.tif 000007
【図６】
2006068965.tif 000008
【図７】
2006068965.tif 000009
【図８】
2006068965.tif 000010
【図９】
2006068965.tif 000011
【図１０】
2006068965.tif 000012